(57)【要約】【課題】  販売数量を容易に入力できるようにするとともに、入力された販売数量を容易に変更できるようにするインタフェースを提供することを目的とする。【解決手段】  商品の情報に対応する商品画像を含む第１の領域と前記商品の数量の画像を含む領域とを表示する表示部と、前記第１の領域又は前記数量の画像を含む領域へのタッチ操作を検出するタッチ操作検出部と、検出されたタッチ操作の態様を識別する識別部と、識別された前記態様に応じて、前記数量を更新する更新部と、前記商品の情報と対応付けて前記商品の数量を登録する登録部と、を有する商品登録装置が提供される。【選択図】図２
2019109614.tif 000002
【特許請求の範囲】
【請求項１】
商品の情報に対応する商品画像を含む第１の領域と前記商品の数量の画像を含む領域とを表示する表示部と、
前記第１の領域又は前記数量の画像を含む領域へのタッチ操作を検出するタッチ操作検出部と、
検出されたタッチ操作の態様を識別する識別部と、
識別された前記態様に応じて、前記数量を更新する更新部と、
前記商品の情報と対応付けて前記商品の数量を登録する登録部と、
を有する商品登録装置。
【請求項２】
前記態様は、前記第１の領域に含まれる第２の領域でタッチ操作が検出される第１の態様と、前記第１の領域に含まれる第３の領域でタッチ操作が検出される第２の態様とを含み、
前記更新部は、
前記第１の態様に応じて、前記数量に所定の第１の値を加算して前記数量を更新し、
前記第２の態様に応じて、前記数量に所定の第１の値を減算して前記数量を更新する、
請求項１に記載の商品登録装置。
【請求項３】
前記所定の第１の値は、各々の態様におけるタッチ操作のタップ回数である、
請求項２に記載の商品登録装置。
【請求項４】
前記所定の第１の値は、各々の態様におけるタッチ操作の長押しの時間が長いほど大きな自然数である、
請求項２に記載の商品登録装置。
【請求項５】
前記態様は、前記第１の領域においてほぼ所定の方向へ移動するタッチ操作が検出される第３の態様と、前記第１の領域において前記所定の方向とほぼ逆の方向へ移動するタッチ操作が検出される第４の態様とを含み、
前記更新部は、
前記第３の態様に応じて、前記数量に所定の第２の値を加算して前記数量を更新し、
前記第４の態様に応じて、前記数量に所定の第２の値を減算して前記数量を更新する、
請求項１に記載の商品登録装置。
【請求項６】
前記所定の第２の値は、各々の態様における移動するタッチ操作の距離が長いほど大きな自然数である、
請求項５に記載の商品登録装置。
【請求項７】
前記所定の方向は、直線に沿った方向であるか、又は円に沿った方向である、
請求項５又は６に記載の商品登録装置。
【請求項８】
前記態様は、前記第１の領域において同時に所定の個数のタッチ操作が検出される第５の態様と、前記第１の領域において同時に前記所定の個数以外の個数のタッチ操作が検出される第６の態様とを含み、
前記更新部は、
前記第５の態様に応じて、前記数量に所定の第３の値を加算して前記数量を更新し、
前記第６の態様に応じて、前記数量に所定の第３の値を減算して前記数量を更新する、
請求項１に記載の商品登録装置。
【請求項９】
前記態様は、前記第１の領域に手書きの文字が入力される第７の態様であり、
前記更新部は、前記第７の態様に応じて、前記手書きの文字を認識して得られた数値で、前記数量を置き換える、
請求項１に記載の商品登録装置。
【請求項１０】
前記態様は、前記数量の画像を含む領域に含まれる第４の領域でタッチ操作が検出される第８の態様と、前記数量の画像を含む領域に含まれる第５の領域でタッチ操作が検出される第９の態様とを含み、
前記更新部は、
前記第８の態様に応じて、前記数量に所定の第４の値を加算して前記数量を更新し、
前記第９の態様に応じて、前記数量に所定の第４の値を減算して前記数量を更新する、
請求項１に記載の商品登録装置。
【発明の詳細な説明】
【技術分野】
【０００１】
本発明は、商品販売データ処理装置に関する。
【背景技術】
【０００２】
スーパーマーケット、食料品店などの対面販売を行う店舗において、会計装置付き計量器が使用されている。商品には、定額商品（又は定貫商品（例えば、1パック５００円（内容量は３００グラム）といった価格と質量（又は数量）とが決まっている商品））と不定貫商品とがある。
【０００３】
オペレータが定額商品について会計装置付き計量器に適切な販売価格を入力するためには、商品種別（例えばＰＬＵコード）とその商品の個数とを会計装置付き計量器に入力する。これらのデータが入力されると会計装置付き計量器は、商品種別から単価を得て、この単価に個数を乗算することで販売金額を算出する。不定貫商品の販売価格も含めて、顧客が所望する複数の商品に関する情報の入力が全て終了すると、合計金額が算出されて、支払金額の表示、入金操作及びレシートの発行等が行われる。
【０００４】
対面販売に用いられる会計装置付き計量器では、商品個数の入力などにおいて入力エラーが発生することがある。このようなエラーは、その他、商品の販売を行う際に用いられるＰＯＳ端末など、商品個数などを入力しなければならない機器において、同様に発生するエラーである。
【０００５】
例えば、バーコードが付されている商品と付されていない商品とで、操作手順が大きく代わることなく商品情報を読み取ることを可能とするために、商品読取装置が、撮像部で撮像された画像からその画像に含まれる商品を認識する機能と、同画像からその画像に含まれる商品に付されたデータコードを認識する機能とを有し、切替手段によって切替可能とする。商品読取装置は、商品認識処理により認識された商品の情報またはデータコード認識処理により認識されたデータコードの情報を、ＰＯＳ端末に出力する技術が存在する（例えば、特許文献１参照）。
【先行技術文献】
【特許文献】
【０００６】
【特許文献１】特開２０１４−１４６３８４号公報
【発明の概要】
【発明が解決しようとする課題】
【０００７】
上記のような従来技術では、撮像部で撮像された画像からその画像に含まれる商品を認識する機能を用いて、バーコードなどが付されていない商品の種別を自動的に認識することで、バーコードが付されている商品と付されていない商品とで、商品種別の入力に関する操作を簡便に行えるようにしている。このような従来技術は、商品の種別については簡便に行えるものの、商品の個数の入力誤りについては改善策が講じられていない。
【０００８】
定額商品の販売の場合には、顧客から定額商品の数量が指定されたにもかかわらず、会計装置付き計量器に入力された数量に誤りが発生することがある。たとえば、オペレータが、商品の種別又は数量の入力自体を間違える場合がある。数量を一旦入力した後に、数量の追加、取り消しなどを行う必要があるにもかかわらず、その操作が行われない場合がある。或いは、異なる商品の数量を変更してしまうという場合も発生する。
【０００９】
本発明は、このような事情に鑑みなされたものであって、販売数量を容易に入力できるようにするとともに、入力された販売数量を容易に変更できるようにする改善されたインタフェースを提供することを目的とする。
【課題を解決するための手段】
【００１０】
一実施の形態によれば、商品の情報に対応する商品画像を含む第１の領域と前記商品の数量の画像を含む領域とを表示する表示部と、前記第１の領域又は前記数量の画像を含む領域へのタッチ操作を検出するタッチ操作検出部と、検出されたタッチ操作の態様を識別する識別部と、識別された前記態様に応じて、前記数量を更新する更新部と、前記商品の情報と対応付けて前記商品の数量を登録する登録部と、を有する商品登録装置が提供される。
【発明の効果】
【００１１】
開示の形態によれば、販売数量を容易に入力できるようにするとともに、入力された販売数量を容易に変更できるようにするインタフェースを提供することができる。
【図面の簡単な説明】
【００１２】
【図１】商品販売データ処理装置の外観を示す図である。
【図２】実施形態の要部の構成を示すブロック図である。
【図３】商品販売データ処理装置による商品認識用撮像画像の例を示す図である。
【図４】商品を登録する場合の画面を示した図である。
【図５】プリセットキーにより商品を登録する場合の図である。
【図６】実施形態の表示画面の例を示す図である。
【図７】タッチパネルへのタッチ操作の例を示す図である。
【図８】タッチパネルへのタッチ操作の他の例を示す図である。
【図９】実施形態の種々の認識パターンを例示した表である。
【図１０】他の実施形態の表示画面の例を示す図である。
【図１１】タッチパネルへのタッチ操作の他の例を示す図である。
【図１２】タッチパネルへのタッチ操作の他の例を示す図である。
【図１３】他の実施形態の表示画面の例を示す図である。
【図１４】タッチパネルへのタッチ操作の他の例を示す図である。
【図１５】タッチパネルへのタッチ操作の他の例を示す図である。
【図１６】タッチパネルへのタッチ操作の他の例を示す図である。
【図１７】手書き入力文字が認識された状態を示す図である。
【図１８】タッチパネルへのタッチ操作の例を示す図である。
【図１９】顧客用表示部１１２の画面の例を示す図である。
【図２０】会計処理画面における訂正指示を示す図である。
【図２１】実施形態の概要の処理を示すフローチャートである。
【図２２】実施形態の概要の処理を示すフローチャートである。
【図２３】実施形態のハードウエア構成を示した図である。
【発明を実施するための形態】
【００１３】
対面販売で商品が販売される場合には、例えば精肉店などのショーケース上に複数の会計機能付き計量装置が設置されている。この場合の基本的な操作は、顧客が指定した商品の情報を、まずＰＬＵコード入力等により入力する。量り売り商品、例えばグラム単価１５０円の商品であれば、１００ｇの購入で１５０円となる。また、定額商品の場合は、商品の数量の入力を行って売価を算出する。
【００１４】
複数の商品の諸情報を入力して、すべての商品登録が完了すると合計（又は小計）の処理を行う。すなわち、店員は、顧客へ商品を手渡すと共に、支払金額を受け取る。店員は、釣銭とレシートも併せて顧客に手渡す。会計機能付き計量装置はドロワーとセットで設置されることが多い。この場合、金銭の保管はドロワーを用いて行われる。また、レシートは内蔵プリンタや外部接続のプリンタから発行される。
【００１５】
対面販売の場合は、ショーケースのあちこちにある商品を顧客が購入する場合がある。その場合、店員は、会計機能付き計量装置と商品置き場とを行き来することになる。その際、顧客が複数の商品のうちの、ある商品の数量の増減を店員に指示する場合がある。この場合、顧客は、商品を指さしたり、商品名を店員に伝えたりする。商品が近くにあって、店員と顧客が商品を見ているときには、店員が顧客の指示した商品を間違って処理することは稀である。仮に店員が商品の認識を間違えた場合でも顧客が即座にその間違いを指摘することができるのであれば、間違いを訂正しやすい。
【００１６】
しかしながら、会計機能付き計量装置側で数量の入力又は訂正を行う場合、ＰＬＵコードや商品名などで商品を選択するしかなく、コードや文字情報では商品選択を誤る可能性が高くなる。そこで、例えば、商品数の訂正が必要とされる場合に、店員がその商品を指定した時に、店員側の表示部に商品画像を拡大されるようにして（比率としては画面面積の５０％以上が望ましい）、商品を容易に視認可能とする。そして、商品の数量の訂正はテンキー操作に代えて（又は、加えて）、商品画像が表示されている画面の領域、或いは商品の数量の画像を含む領域などにタッチ操作することで行えるようにする。このようにすることで、顧客の希望どおりに、店員が商品の数量を訂正することをより確実に行うことができる。
【００１７】
上記のような操作環境を提供することによって、例えば小計一覧を再確認した後、レシートが発行され顧客がそれを確認した後などのときに、会計の間違いが発見され、店員が、訂正処理を行って会計処理を再度行うような負担を極力減少させることができる。
また、洋菓子店、和菓子店、パン屋などでも同様に定額商品の販売に本実施例が有効に適用できる。
なお、自ら顧客が商品数量の入力を行えることを許容してもよい。
【００１８】
したがって、以下に詳述する実施形態は、会計装置付き計量器に限られず、ＰＯＳ端末などに対しても適用可能である。また、店員側で商品を表示すると共に、顧客側でも商品を表示することもできる。商品数量の入力又は、その数量の訂正処理が行われる際に、拡大表示された商品画像に重ねて、あるいはその近傍に、商品数量の数字を表示しても良い。このようにすることでさらに間違いが防止できる。
なお、以下に説明する実施形態は例示である。したがって、個々の実施形態は、発明の技術的範囲を限定するためのものではない点に留意すべきである。
【００１９】
それぞれの実施形態は、排他的なものではなく、矛盾のない限り、適宜組み合わせて実施することができる。また、処理のフローは、矛盾のない限り、順番を変更してもよく、あるいは同時に実行してもよい点に留意すべきである。また、個々の処理フローは、適宜に組み合わせて実施することができる。
【００２０】
また、実施形態では、使用するハードウエアとして会計装置付き計量器を用いて説明する部分があるが、上述のようにハードウエアは、店舗におけるＰＯＳ端末、携帯端末であってもよい。携帯端末は、顧客が所有する携帯電話、タブレットばかりでなく、店舗が所有し店舗職員が使用するか、顧客に貸し与えるハンディ端末などであってもよい。ＰＯＳ端末は、店舗の精算時に店舗職員が操作するものばかりでなく、店舗職員と顧客の両者が共同して操作するＰＯＳ端末、顧客のみが操作するＰＯＳ端末などであってもよい。
【００２１】
すなわち、以下の実施形態で実現される諸機能は、いかなる態様のハードウエアで実現されてもよく、あるいは、複数のハードウエアが連携し情報を共有しながら実現されてもよいことは言うまでもない。実施形態で説明するネットワークには、サーバなど、データを蓄積し、あるいは、指示を与えるマシンが接続されてもよい。
【実施例】
【００２２】
以下に、図を参照しながら具体的な複数の実施形態を説明する。
図１は、商品販売データ処理装置の外観を示す図である。会計装置付き計量器１００は、商品販売データ処理装置の一例である。会計装置付き計量器１００は、顧客用表示部１１２、店員用表示部１１４、撮像部１２０、載せ台１３０及びプリンタ１４０を有する。
【００２３】
顧客用表示部１１２は、顧客に対して、商品の画像、商品数量、商品の単価、全ての商品の合計価格（小計）等を表示する。店員用表示部１１４は、テンキーなどの入力ボタン、商品を指定するプリセットキー、商品の画像、商品数量、商品の単価、商品質量、全ての商品の合計価格（小計）等を表示する。店員用表示部１１４には、タッチパネルが設置されている。なお、別途ハードウエアのキーを有する入力装置（不図示）が接続されてもよい。載せ台１３０は、肉類などを載せて、不定貫の商品の質量を図るために用いられる。プリンタ１４０は、レシートなどの印字を行う。
【００２４】
なお、顧客用表示部１１２にもタッチパネルを設けることによって、顧客も入力の操作が行えるようにしてもよい。
【００２５】
図２は、実施形態の要部の構成を示すブロック図である。ここでは、実施形態の各構成の動作についての概要を説明する。複数の実施形態に係る詳細な説明は後述する。
【００２６】
商品情報受取部２１０は、顧客が購入しようとする商品の情報、処理コマンドの情報などを受け取る。後述するように、撮像部１２０は、商品を撮像し、パターン認識技術により商品を認識することができるようにすることが望ましい。また、撮像部は、ＰＬＵコード等を読み取ることで商品の情報を取得する。商品情報受取部２１０は、撮像部１２０が取得したこのような商品の情報又はタッチパネルからの情報を受け取ることができる。
【００２７】
タッチ操作検出部２２０は、オペレータがタッチパネルにタッチした情報を検出する。タッチ操作検出部２２０は、商品に関する情報の一部を商品情報受取部に提供する。
【００２８】
識別部２３０は、タッチパネルに対してオペレータが行ったタッチ操作の態様を識別することができる。タッチ操作には、指、タッチパネル用のタッチペンなどが用いられる。タッチ操作の具体例とその操作の指示内容等については後述する。
【００２９】
更新部２４０は、識別部２３０において識別されたタッチ操作の指示内容と、識別された商品の情報（例えば、商品の単価）等に基づいて、その商品の数量に加減算、置換等を適用し、商品の数量を更新する。そして、更新された商品の数量とその単価とから、その商品の合計金額などを算出する。なお、不定貫の商品であれば、商品のグラム単価等と、商品の質量とが計算に用いられる。
登録部２５０は、顧客が購入しようとする複数の商品の情報、複数の商品の各々の数量（又は質量）等をメモリに登録する。
表示部２６０は、更新部２４０及び登録部２５０で登録された情報等を顧客用表示部１１２及び店員用表示部１１４に表示することができる。
【００３０】
図３は、商品販売データ処理装置による商品認識用撮像画像３００の例を示す図である。
【００３１】
図３（Ａ）は、顧客が注文したリンゴ３１０を撮像部１２０が撮像した映像の例である。リンゴ３１０には、バーコードが添付されていないことが多い。したがって、店員が、リンゴ３１０の商品の情報を入力する場合には、撮像部１２０により撮像された画像から、パターン認識技術を用いて、リンゴ３１０を認識できることが望ましい。このパターン認識技術を用いれば、店員は、画面上に表示されているリンゴのプリセットキーを押下したり、バーコード表に印字されたリンゴのバーコードをバーコード表から探して、読み込ませたりするなどの煩雑な作業を回避できる。なお、本実施例において、商品のパターン認識技術は、必須のものではないことに留意すべきである。
【００３２】
図３（Ｂ）は、ＰＬＵコードなどのバーコードが付されたパック商品（定額商品）を撮像部１２０が撮像した画像を示している。この場合には、バーコードを認識することによって、商品の情報を容易に取得することが可能である。
【００３３】
＜実施形態１＞
図４（Ａ）は、商品を登録する場合の画面を示した図である。表示画面４００は、店員用表示部１１４に表示される画面の一例である。
表示画面４００には、数字を入力するテンキー４０１、「品名リスト」呼び出しキー４０２、「バーコード画像認識自動」設定キー４０４が表示されている。
【００３４】
なお、表示画面４００には、実施形態に関連する情報のみが描かれている。実際に店舗などで利用される商品販売データ処理装置には、必要に応じて、その他の情報が表示画面４００に表示され得ることに留意すべきである。なお、図４では、種々のキーが画面４００に表示されているが、これらのキーは、物理的なキーであってもよいことは言うまでもない。
【００３５】
「バーコード画像認識自動」設定キー４０４は、このキーが選択状態にされている場合には、図３を用いて説明した商品の自動認識又はバーコードによる認識がオンの状態となる。図４（Ａ）では、「バーコード画像認識自動」設定キー４０４がオンの状態であることを示す表示となっている(キーの周辺が濃く表示されている)。このため、オペレータが撮像部１２０に商品をかざすことによって、会計装置付き計量器１００は、商品を自動的に識別することができる。「バーコード画像認識自動」設定キー４０４は、常時オンの状態にしておくことができるように設計されていることが望ましい。
【００３６】
「品名リスト」呼び出しキー４０２は、商品を品名リストからオペレータが選択することにより、商品を登録する際に用いられる。例えば、オペレータが登録しようとしている商品の大まかなリスト番号を知っている場合には、例えばキー７を押した後に「品名リスト」呼び出しキー４０２を押せばよい。商品の番号がわからない場合には、「品名リスト」呼び出しキー４０２を直接押せばよい。
【００３７】
図４（Ｂ）は、オペレータが、番号７を押した後に、「品名リスト」呼び出しキー４０２を押した後の表示画面４００を示している。表示画面４００には、品番００００７ないし０００１２の商品の品名がリストとなって表示されている。
【００３８】
登録する商品が、「リンゴ」であると仮定する。オペレータは、品番００００７の「リンゴ」のキーを押すことにより、商品「リンゴ」を登録することができる。
【００３９】
なお、表示画面４００に目的の商品が表示されていない場合には、オペレータがスクロールキー（４０６、４０７）を押すことにより、商品名リストがスクロールするようにしてもよい。
【００４０】
なお、図４の説明においては、登録すべき商品として、定額商品である「リンゴ」を例とし、商品リストに定額商品が表示されている場合を説明した。なお、登録するべき商品が不定貫の商品である場合には、不定貫の商品名リストを表示させ、オペレータに選択させるようにすればよい。その後、オペレータは、載せ台１３０に風袋に入れた不定貫の商品を載せればよい。会計装置付き計量器１００が、不定貫の商品の質量を計測し、不定貫の商品の金額を計算するようにすればよい。
なお、定額商品の数量の入力については、後述する。
【００４１】
図５は、プリセットキーにより商品を登録する場合の図である。図５には、商品を特定することを容易にするための、プリセットキー４０８が示されている。オペレータは、プリセットキー４０８に、目的の商品のボタンが表示されている場合には、このプリセットキー４０８を用いることができる。登録するべき商品が「リンゴ」であれば、オペレータが「リンゴ」のキーをタッチすることで、商品を容易に登録することができる。
なお、定額商品の個数の入力方法については、後述する。
【００４２】
図６は、実施形態の表示画面の例を示す図である。
店員は、顧客から、リンゴを購入したいとの要望を受けている場合を想定する。そして、リンゴの商品の情報が既に入力されている。リンゴの商品の情報の入力の手法については、既に説明したとおりである。このため、商品画像表示領域１にリンゴの商品画像４５０が表示されている。この画像は、商品販売データ処理装置内に記憶されているリンゴの画像、あるいは、ネットワーク１５１５を介して他の装置から提供されたリンゴの画像情報であってもよい。また、商品画像４５０は、撮像されたリンゴの画像であってもよい。
【００４３】
このように、店員が処理対象とする商品画像４５０を、表示画面４００内に大きく表示することによって、店員が、別の商品に関する処理を行ってしまうなどの誤りを未然に防止することができる。また、商品画像４５０を顧客用表示部１１２にも表示させることが望ましい。このようにすれば、顧客も、どの商品に対して店員が操作をしているかを確認することができ、誤りの発生を更に減少させることができる。
【００４４】
なお、以後の説明では、店員用表示部１１４に種々の情報を表示する点を説明し、顧客用表示部１１２への表示については後述する。顧客が確認することで誤りが減少する情報については、顧客用表示部１１２にも表示するようにすることが望ましい。なお、顧客用表示部１１２は、本実施形態の必須のハードウエアではない。
【００４５】
表示画面４００には、更に、商品名４４０「リンゴ」、商品の個数４３０「８個」、単価４２０「￥１２０」、小計４１０「￥９６０」が既に表示されている。図６の場合には、商品の個数４３０に「８個」が入力されており、この値を訂正する場合を以下に説明する。なお、新たに商品を登録する際には、通常は、デフォルト値として、予め「1個」が入力されていることが望ましい。商品の個数４３０のデフォルト値は、商品の種別に応じて、あらかじめ定めておくようにしてもよい。
【００４６】
確定キー４４５は、個数の入力が確定したことを指示するためにオペレータがタッチするためのキーである。確定キーが押されることにより、個数が確定され、確定された個数が、登録部２５０に登録される。
【００４７】
なお、既に注文がなされ、商品の個数が入力されている商品に関しては、商品の情報を入力した際に、既に登録された個数を登録部２５０から呼び出して表示し、この数量を訂正できるようにする。
【００４８】
商品画像表示領域１は、上部領域２と下部領域３とを有する。上部領域へのタッチによって加算が行われるため、上部領域２には、加算の表示４６１が表示されるようにすることが望ましい。下部領域へのタッチによって減算が行われるため、下部領域３には、減算の表示４６２が表示されるようにすることが望ましい。
【００４９】
上部領域２と下部領域３との間には、これらの領域の境が容易に認識できるように、仕切り線４６５を表示させるようにしてもよい。或いは各領域を線などで囲んでもよい。
【００５０】
例えば、店員が上部領域２を１回タップすると、個数４３０が１増加するようにしてもよい。店員が下部領域３を１回タップすると、個数４３０が１減少するようにしてもよい。この処理は、更新部２４０によって行われる。
【００５１】
図７は、タッチパネルへのタッチ操作の例を示す図である。図７は、店員の指が、下部領域３を１回タップした直後の状態を示している。この場合、商品の個数を１だけ減算する処理が行われる。このことを分かりやすくオペレータに示すために、「−１」の表示がタップした近傍領域４９１に表示されるようにしてもよい。
【００５２】
そして、個数４３０がハイライトしてもよく、個数４３０が１だけ減算されて、「７個」が表示されている。また、小計４１０も、「￥８４０」（すなわち、単価￥１２０×７個＝８４０円）に変更され表示されている。
【００５３】
この処理によって、店員が下部領域を１回タップしたことによって、個数４３０が１だけ減算され、小計の更新が行われたことがオペレータに対して容易に知らしめることができる。
図７では、下部領域３へのタップの例を示したが、上部領域２へのタップの場合には、加算が行われるようにする。
【００５４】
＜実施形態２＞
図８は、タッチパネルへのタッチ操作の他の例を示す図である。図８では、オペレータが、下部領域３に対して、２秒間の長押しを行った例を示している（４８２）。この例では、長押しの時間が１秒増加するごとに、減算する数値を１だけ増やす処理が行われる例を示している。この場合、長押しの秒数が２秒であるため、個数４３０「８個」を２だけ減ずる処理が行われる。このことを分かりやすくオペレータに示すために、「−２」の表示が長押しした近傍領域４９２に表示されるようにしてもよい。
【００５５】
そして、個数４３０がハイライトしてもよく、個数４３０が２だけ減算されて、「６個」が表示されている。また、小計４１０も、「￥７２０」（単価￥１２０×６個＝７２０円）に変更され表示されている。
【００５６】
この処理によって、店員が下部領域を２秒間長押ししたことによって、個数４３０が２だけ減算され、小計の更新が行われたことがオペレータに対して容易に知らしめることができる。
なお、１だけ減ずるための長押しの時間は、０．３秒など、他の値をあらかじめ設定しておいてもよいことは言うまでもない。
【００５７】
＜実施形態３＞
長押しの場合には、長押しの時間にかかわらず、あらかじめ定めた数値（例えば「５」）だけ加減算するようにしてもよい。
図８では、下部領域３への長押しの例を示したが、上部領域２への長押しの場合には、加算が行われるようにする。
【００５８】
以上のように、処理対象とする画像を表示画面に大きく表示し、その画像を含む領域を２つに分けて、一方を加算、他方を減算の領域に対応付け、各々の領域へのタッチの態様に応じて、所定の加減算処理を施すことにより、オペレータの処理の誤りを格段に減少させることができる。
【００５９】
＜実施形態４＞
また、上部領域２において長押しの時間が長くなるにつれて、数量をインクリメントする間隔が短くなるようにしてもよい。下部領域３において長押しの時間が長くなるにつれて、数量をデクリメントする間隔が短くなるようにしてもよい。
【００６０】
＜変形例１＞
なお、上記の各実施形態を組み合わせて、タップと長押しの両者を受け入れるようにしてもよい。
【００６１】
また、上記の実施形態においては、商品画像表示領域１を２つに分けた例を示したが、３つ以上に分けてもよい。領域の位置に応じて、例えば１回のタップによって加減算される数値を異ならせるようにしてもよい（例えば、商品画像表示領域１の中心から離れるにしたがって大きな数値を適用して加減算処理を行わせる）。
なお、商品画像表示領域１は、第１の領域の一例である。上部領域２は、第２の領域の一例である。下部領域３は、第３の領域の一例である。
【００６２】
図９は、実施形態の種々の認識パターンを例示した表である。この表は、オペレータのタッチの識別パターン５１０（９種類）に対応したタッチ操作５２０、商品の数量の更新の内容５３５、加算の条件と演算内容５３０、減算の条件と演算内容５４０を示している。
識別パターン１は、図７を用いて説明した実施形態１である。
識別パターン２は、図８を用いて説明した実施形態２である。
識別パターン３は、図８の説明において、補足説明した実施形態３である。
識別パターン４は、図８の説明において、補足説明した実施形態４である。
識別パターン５は、実施形態５であり図１０ないし図１２を用いて後述する。
識別パターン６は、実施形態６であり図１３ないし図１５を用いて後述する。
識別パターン７は、実施形態７であり、後述する。
識別パターン８は、実施形態８であり、後述する。
識別パターン９は、実施形態９であり、後述する。
【００６３】
＜実施形態５＞
図１０は、他の実施形態の表示画面の例を示す図である。この実施形態においては、商品画像表示領域１に、加算方向の表示８６１と減算方向の表示８６２を表示させることが望ましい。これらを表示させることによって、タッチ操作として、上方に指をスライドさせると加算が行われ、下方に指をスライドさせると減算が行われることをオペレータに容易に知らしめることができる。
【００６４】
図１１は、商品画像表示領域１内で、指を上方に３ｃｍスライドさせた（９１１）直後の表示画面４００を示している。指を１センチ上方にスライドさせると１だけ個数を増加させるように設定されている。図１１では、タッチパネル上で、指を３センチ上方にスライドさせているため、個数に３が加算される。これに伴って、個数４３０の表示が、「１１個」に変更され、小計４１０の表示が、「￥１，３２０」に更新されている。個数４３０の表示をハイライトさせてもよい。このようにすることによって、個数４３０が変更されたことを、オペレータに容易に知らしめることができる。
【００６５】
この場合、「＋３」の表記を、タッチした箇所の近傍に表示させることが望ましい。このような表示をさせることによって、個数がどの程度変更されるかを、オペレータに容易に知らしめることができる。
【００６６】
図１２は、タッチパネルへのタッチ操作の他の例を示す図である。商品画像表示領域１内で、指を下方に４ｃｍスライドさせた（９１２）直後の表示画面４００が示されている。減算処理の手法は図１１に順じて行われる。これに伴って、個数４３０の表示が、「８個」から「４個」に変更され、小計４１０の表示が、「￥９６０」から「￥４８０」に更新されている。個数４３０の表示をハイライトさせることによって、個数４３０が変更されたことを、オペレータに容易に知らしめることができる。
【００６７】
この場合、「−４」の表記を、タッチした箇所の近傍に表示させることが望ましい。このような表示をさせることによって、個数がどの程度変更されるかを、オペレータに容易に知らしめることができる。
【００６８】
＜変形例２＞
なお、オペレータが指を離さずに、タッチパネルを上下に連続的にスライドさせた場合には、スライドする経過の途中の段階の数値を表示させ、指を話した時の数値が、商品の加減算に適用されるようにしてもよい。なお、この変形例は、スライド操作の他の実施形態（例えば、下記の実施形態６においても同様に適用できる）。
＜変形例３＞
なお、この実施形態において、商品販売データ処理装置は、スライドに代えて、或いはスライドに加えて、スワイプの操作を受け入れてもよい。
【００６９】
スワイプの場合には、スワイプする指が画面と接している長さに応じて、数値を変化させてもよい。例えば、指を上方にスワイプする際、指が画面に３センチの長さだけ接触してから指が画面から離れた場合には、個数に３を加算させる演算を行ってもよい。下方にスワイプした場合には、同様の規則で、個数の減算を行うこととしてもよい。
【００７０】
或いは、上方に１回スワイプした場合には、指と画面との接触の長さにかかわらず、数量をインクリメントし、下方に１回スワイプした場合には、指と画面との接触の長さにかかわらず、数量をデクリメントするようにしてもよい。
【００７１】
或いは、上下のスワイプの速度が速いほど、大きな数値を加算又は減算するようにして、スワイプの速度に応じて、個数に対して加減算される数値を変化させるようにしてもよい。
上記スライドの処理及び上記スワイプの処理の両者のいずれをも受け付けて、オペレータによる個数の変更を許容するようにしてもよい。
なお上記のオペレータによるスライド、スワイプなどの操作は、商品画像表示領域１において受け付けられるようにすることが望ましい。
【００７２】
以上のように、オペレータによるスライド操作に代えて（或いは加えて）スワイプの操作も受け入れるようにすることにより、個数の入力、訂正に係る操作性をより向上させることができる。
なお、スライドの操作及びスワイプの操作は、「移動するタッチ操作」の例である。
【００７３】
＜実施形態６＞
図１３は、他の実施形態の表示画面の例を示す図である。商品画像表示領域１内に、サークル１１５０と、減算の表記１１１１と、加算の表記１１１２とが表示されている。
【００７４】
この実施形態では、サークル１１５０にほぼ沿うように指を円弧状にスライドさせることによって、スライドの長さ（円弧の角度又は円弧の長さ）に応じて、加減算の数値を変更することができる。減算の表記１１１１と、加算の表記１１１２とによって、右回りにスライドさせると加算が行われ、左回りにスライドさせると減算が行われることを、オペレータに容易に知らしめることができる。
【００７５】
図１４は、タッチパネルへのタッチ操作の例を示す図である。オペレータが、サークル１１５０に沿って、約６０度の円弧の長さだけ指などをスライドさせた直後の状態が示されている（１１９１）。この場合、円弧上を３０度右回りに指をスライドさせる毎に、個数４３０に１だけ加算されるように設定されている。この例の場合には６０度の円弧であるため、数値２が個数４３０に加算される。小計４１０もこの個数の変更に応じて更新される。
【００７６】
この場合、「＋２」の表記を、タッチした箇所の近傍に表示させることが望ましい。このような表示をさせることによって、個数がどの程度変更されるかを、オペレータに容易に知らしめることができる。
【００７７】
図１５は、タッチパネルへのタッチ操作の他の例を示す図である。オペレータが、サークル１１５０に沿って、約３０度の円弧の長さだけ指を左回りにスライドさせた直後の状態が示されている（１１９２）。この場合、３０度の円弧上を左回りに指をスライドさせると、個数４３０が１だけ減算される。
【００７８】
この場合、「−１」の表記を、タッチした箇所の近傍に表示させることが望ましい。このような表示をさせることによって、個数がどの程度変更されるかを、オペレータに容易に知らしめることができる。
【００７９】
＜実施形態７＞
以上の実施形態以外にも、商品画像表示領域１において、指を１本タップすることで所定の値だけ個数が加算され、指を２本タップすることで所定の値だけ個数が減算されるようにすることもできる。
【００８０】
＜変形例４＞
指の本数に応じて加減算の値を変更するようにしてもよい。
また、加算と減算時のタッチ音を変えてもよい。
顧客用表示部１１２にも類似の画面を表示すれば顧客も安心して確認する事ができる。
【００８１】
なお、商品の数量が０となった場合には、演算がマイナス値になるのを抑止して報知してもよい。また、商品の数量が想定外の数量（例えば、リンゴの数量が５０個以上）になった場合には、その旨を報知してもよい。
数量が０となった場合には、その商品の購入を取り消す処理が行われてもよい。
【００８２】
＜実施形態８＞
図１６は、他の実施形態を示す図である。図１６では、オペレータの指により、手書文字１２５０として数字「９」が描かれている。この実施形態では、オペレータの指等を用いて、実際の商品の数量がタッチパネルに描かれる。指等でなぞられた軌跡を表示画面４００に描画することで、軌跡がオペレータに確認できるようにすることが望ましい。
【００８３】
図１７は、手書文字認識が行われて、認識された文字１２５５として、数字「９」のキャラクタが表示されたことを示している。なお、手書文字認識が誤った認識を行った場合には「９」とは異なった文字が表示されるので、オペレータによる取消キー１２５１のタッチにより、文字認識処理をキャンセルさせるようにしてもよい。その後、オペレータは、数値を再入力すればよい。また、文字認識が行えなかった場合には、「再度入力してください」などのアラートを表示することで、オペレータに再入力を促してもよい。入力される数字は、一桁に限られず、複数桁であってもよい。
【００８４】
図１７においては、文字認識により「９」が認識され、個数４３０の表示に、入力された個数「９」が反映され「９個」と表示されている。すなわち、商品の個数４３０の表示は、オペレータの手書き文字の個数に置き換えられるようにしてもよい。個数を置き換えるタイミングは、数字の文字認識が完了し次第行われてもよいが、図１７に示すように、例えば、オペレータの指先１２５６が、タッチパネルをダブルタップ（又はシングルタップ）したことを契機に、商品の個数４３０の置き換え処理が行われてもよい。あるいは、数値の入力とは異なるタッチ操作が行われたことを契機に、個数を置き換えてもよい。
【００８５】
個数が置き換えられたことにより、小計４１０の表示も更新され「小計￥１，０８０」が表示されている。また、個数が置き換わったことを知らしめるために、商品の個数４３０がハイライトするようにしてもよい。
手書き入力、タップなどは、商品画像表示領域１になされることが望ましい。
また、図１７の表示を省略してもよい。
【００８６】
以上のように、オペレータが、定額商品の個数を指などで手書き入力できるようにすることによって、商品画像４５０を見ながら、その個数を手書きで入力することができる。このため、適切な定額商品に対して、適切な個数が入力されるようになり、入力（又は訂正）誤りなどの誤入力をより減少させることができる。
【００８７】
＜変形例５＞
上記の実施形態８は、上書きする個数の数値を手書き入力する例であるが、オペレータの手書きにより「＋２」などの演算子と個数の修正値とを入力できるようにしてもよい。「＋」又は「−」の演算子の文字に続けて数値が入力された場合には、商品の個数４３０に現在表示されている個数に対して、演算子に応じた加減算が行われるようにしてもよい。
【００８８】
このように、個数の訂正を行う際に、加減算の演算子である「＋」又は「−」の文字に続けて数値が認識された場合には、上記の加減算を行うようにする。このようにすることによって、オペレータは、加減算処理による定額商品の個数の訂正を手書き入力で行うことができる。
【００８９】
加減算処理のタイミングは、実施形態８と同様に、例えば、オペレータが、タッチパネルをダブルタップ（又はシングルタップ）したことを契機に、加減算処理が行われてもよい。あるいは、演算子の文字及び数値の入力とは異なるタッチ操作が行われたことを契機に、加減算処理が行われてもよい。
手書き入力は、商品画像表示領域１になされることが望ましい。
【００９０】
以上のように、オペレータが、定額商品の加減算の指示を指などで手書き入力できるようにすることによって、商品画像４５０を見ながら、その加減算の指示を手書きで入力することができる。このため、適切な定額商品に対して、適切な個数の訂正が行える。
なお、上記実施形態８と変形例５とを組み合わせるようにしてもよい。
【００９１】
＜実施形態９＞
図１８は、本実施形態９に係るタッチパネルへのタッチ操作の例を示す図である。図１８（Ａ）は、タッチ操作がなされる直前の店員用表示部１１４の画面を示している。既に、リンゴの個数として、商品の個数４３０に「８個」が表示されている。
【００９２】
図１８（Ｂ）は、商品の個数４３０における数量の画像の近傍領域４３１（数量の画像「８個」の左隣りに破線で囲った領域）を示した図である。なお、破線は、数量の画像の近傍領域４３１を分かりやすくするために図示したものであり、必ずしも実際に表示される必要はない。例えば、オペレータが、数量の画像の近傍領域４３１をタップすると、個数がインクリメントされるようにしてもよい。
【００９３】
図１８（Ｃ）は、オペレータが、数量の画像の近傍領域４３１をタップした直後の商品の個数４３０の表示の例を示している。すなわち、個数がインクリメントされ「９個」と表示されている。このようにして、オペレータが数量の画像の近傍領域４３１をタップすることによって、個数をインクリメントすることができる。この際、個数が変更されたことをオペレータに示すために、商品の個数４３０がハイライトするようにしてもよい。
【００９４】
図１８（Ｄ）は、商品の個数４３０における数量の画像の領域４３３（数量の画像「８個」に破線で囲った領域）を示した図である。なお、破線は、数量の画像の領域４３３を分かりやすくするために図示したものであり、必ずしも実際に表示される必要はない。例えば、オペレータが、数量の画像の領域４３１をタップすると、個数がデクリメントされるようにしてもよい。
【００９５】
図１８（Ｅ）は、オペレータが、数量の画像の領域４３３をタップした直後の商品の個数４３０の表示の例を示している。すなわち、個数がデクリメントされ「７個」と表示されている。このようにして、オペレータが数量の画像の領域４３３をタップすることによって、個数をデクリメントすることができる。この際、個数が変更されたことをオペレータに示すために、商品の個数４３０がハイライトするようにしてもよい。
【００９６】
＜変形例６＞
上記の実施形態では、数量の画像の近傍領域４３１がタップされたときに、数量がインクリメントされ、数量の画像の領域４３３がタップされたときに、数量がデクリメントされる例が示されているが、インクリメントとデクリメントの処理が、逆の領域のタップによってなされてもよい。なお、インクリメントの際に、数量の画像がオペレータに視認できることが望ましい。
【００９７】
或いは、数量の画像の上の領域（不図示）がタップされた場合には、数量をインクリメントし、数量の画像の下の領域（不図示）がタップされた場合には、数量をデクリメントするようにしてもよい。この場合には、インクリメント及びデクリメントのいずれであっても、数量の画像がオペレータによって視認できることとなる。
【００９８】
また、オペレータによるタッチ操作は、タップに限られず、長押しであってもよい。長押しの時間の長さに応じて、インクリメント（又はデクリメント）を継続してもよい（例えば１秒毎にインクリメント又はデクリメントする）。
【００９９】
このようにすることによって、オペレータは、タッチ操作の近くに表示されている数量の画像を容易に認識できると共に、商品画像表示領域１に表示されている商品をも確認しながら、数量の入力（又は訂正）の指示が行えることとなり、商品の数量を適切に入力することが可能となる。
【０１００】
なお、数量の画像の近傍の領域４３１及び数量の画像の上の領域は、第４の領域の一例である。数量の画像の領域４３３及び数量の画像の下の領域は、第５の領域の一例である。
【０１０１】
図１９は顧客用表示部１１２の表示画面５００の例を示す図である。顧客が購入しようとする商品「リンゴ」が商品表示領域５１０に表示されている。個数表示領域５３０には、「個数３個」が表示されている。単価表示領域５４０には、リンゴの単価「単価１２０円」が表示されている。値段表示領域５２０には、「値段（税込み）３６０円」が表示されている。なお、単価及び値段の表示を内税とするか、外税とするかは、あらかじめ定めておけばよい。
【０１０２】
顧客用表示部１１２に、このような表示画面５００を表示させることによって、顧客は、自己が購入しようとしている定額商品の名称、個数、単価、値段を容易に確認することができる。しかも、これらの値に誤りがあれば、即座に誤りを指摘できるので、商品登録の段階で誤りを指摘できる。このことにより、レシート(又はラベル)発行時などの、後の段階になって、顧客が商品登録の誤りに気づき、オペレータが商品登録の訂正処理をするという、煩雑な処理を強いられることを未然に防止することができる。
【０１０３】
図２０は、表示画面４００に会計処理の表示がなされた場合における訂正指示の例を示している。
図２０における会計処理画面では、２つの商品が購入されていることが表示されている。購入商品欄６１０には、１番目の商品として、「タコのマリネ」が購入されていることが表示されている。そして、「０００１４」の表示は、「タコのマリネ」の商品番号である。「３００ｇ」は、不定貫の商品である「タコのマリネ」が３００ｇであったことが表示されている。「＠１６０」の表示は、１００ｇの単価を示している。「４８０円」の表示は、単価１６０円のタコのマリネを３００ｇ購入したため、その合計金額が表示されている。
【０１０４】
購入商品欄６２０には、２番目の商品として、「リンゴ」が購入されていることが表示されている。そして、「００００７」の表示は、「リンゴ」の商品番号である。「８個」は、定額商品である「リンゴ」の数量が８個であったことが表示されている。「＠１２０」の表示は、１個の単価を示している。「９６０円」の表示は、単価１２０円のリンゴを８個購入したため、その合計金額が表示されている。
計算表示欄６３０には、それぞれの商品の小計と、合計金額「１，５４０円」が表示されている。
買上点数欄６４０には、買い上げ点数「２点」が表示されている。
訂正キー６５０は、会計処理における訂正の指示を行うための指示を与えるコマンドキーである。
【０１０５】
たとえば、リンゴの個数を訂正したい場合には、購入商品欄６２０をタッチすることで、当該購入商品欄６２０を選択し、続けて訂正キー６５０をタッチすることによって、オペレータが訂正の指示を行うことができる。
リンゴの個数の訂正処理については、既に説明したとおりである。
【０１０６】
商品取消キー６６０は、特定の商品の購入を取り消す指示をオペレータが指示する際に用いられる。例えば、タコのマリネの購入を取り消したい場合には、購入商品欄６１０を選択した後に、商品取消キー６６０をタッチすればよい。
【０１０７】
全商品取消キー６７０は、この会計処理画面に表示されている全ての商品の購入をオペレータが取り消す際に用いられる。例えば、すべての商品をオペレータが取り消す際には、全商品取消キー６７０をタッチすればよい。
【０１０８】
なお、訂正キー６５０、商品取消キー６６０、全商品取消キー６７０がタッチされた場合には、指定された処理に進んでよいか否かを「はい」、「いいえ」のキーを表示して問うプロンプトを表示してもよい。
【０１０９】
なお、定額商品の商品の購入を取り消す場合には、定額商品の個数の訂正の際に、個数をゼロ（０）にすることによって行われてもよい。個数をゼロに修正して、確定キー４４５をタッチすることによって、その商品の購入が取り消される処理が行われてもよい。
【０１１０】
＜処理フローの概要＞
図２１は、実施形態の概要の処理を示すフローチャートである。以下に、各ステップを説明する。
【０１１１】
［ステップＳ１３０２］会計装置付き計量器１００のタッチ操作検出部２２０が、オペレータから指示を受け取ったか否かが判断される。指示を受け取った場合には（「はい」）、ステップＳ１３０４に進む。指示を受け取っていない場合には（「いいえ」）、ステップＳ１３０２に戻り、処理を繰り返す。
【０１１２】
［ステップＳ１３０４］受け取られた指示が商品の情報であるか否かがチェックされる。指示が商品の情報である場合には（「はい」）、ステップＳ１３０６に進む。指示が商品の情報でない場合は（「いいえ」）、指示はコマンドの情報である可能性があるため、ステップＳ１３１２に進む。
【０１１３】
［ステップＳ１３０６］識別部２３０は、商品の情報が定額商品の情報であるか否かをチェックする。商品の情報が定額商品の情報である場合（「はい」）には、図２２の（Ａ）の処理に移る。商品の情報が定額商品の情報でない場合（「いいえ」）には、ステップＳ１３０８に進む。
【０１１４】
［ステップＳ１３０８］商品パックにラベルの添付されたパック詰めの不定貫の商品か否かがチェックされる。不定貫の商品は、予めパック詰めにされて質量を図り、料金を計算してラベルを作成し、パックにラベルを添付して販売される場合がある。このような場合には（「はい」）、ステップＳ１３１８に進む。ラベルが貼られたパック詰めの不定貫の商品でない場合には（「いいえ」）、ステップＳ１３１０に進む。
【０１１５】
［ステップＳ１３１８］パック詰めの不定貫の商品を計量して得られた料金の情報を含むラベルがパックに添付されているため、そのラベルを読み取ることによって、不定貫の商品の種別及びその料金を取得することができる。取得された商品種別と料金が登録部２５０に登録される。その後、当該商品の登録処理は終了する。
【０１１６】
［ステップＳ１３１０］不定貫の商品は、風袋に入れた形で、載せ台に置かれる。置かれた不定貫の商品の質量が計測され、単位質量当たりの単価に計測された質量をかけることによって、商品の料金が計算される。商品の種別と、計算された商品の料金が、登録部２５０に登録される。その後、当該商品の登録処理は終了する。
【０１１７】
［ステップＳ１３１２］指示されたコマンドが、定額商品の個数の訂正コマンドか否かがチェックされる。定額商品の個数の訂正コマンドである場合には（「はい」）、図２２の処理（Ｂ）に移る。定額商品の個数の訂正コマンドでない場合には（「いいえ」）、ステップＳ１３１４に移る。
【０１１８】
［ステップＳ１３１４］指示されたコマンドが、特定の商品の購入を取り消すコマンドであるか否かがチェックされる。商品の取消のコマンドである場合には（「はい」）、ステップＳ１３２０に進む。それ以外の場合（「いいえ」）、処理はステップＳ１３１６に進む。
［ステップＳ１３２０］取消が指定された当該商品の取消処理が行われる。当該商品に関する情報が、登録部２５０から消去される。
【０１１９】
［ステップＳ１３１６］指示されたコマンドが、全ての商品の購入を取り消すコマンドであるか否かがチェックされる。全ての商品の取消のコマンドである場合には（「はい」）、ステップＳ１３２２に進む。それ以外の場合（「いいえ」）、処理はステップＳ１３１７に進む。
［ステップＳ１３２２］全ての商品の取消処理が行われる。全ての商品に関する情報が、登録部２５０から消去される。
［ステップＳ１３１７］その他の処理のコマンドであるので、指定された処理が行われる。本実施形態に関連しない処理であるため、説明を省略する。
【０１２０】
図２２は、以上の実施形態の処理フローの概要を示している。以下に、各ステップを説明する。
［ステップＳ１４０４］図２１の（Ａ）からこのステップに処理が移る。顧客から商品に対して既に注文がなされており、既に登録部２５０に登録している商品か否かが判断される。既に登録されている場合には（「はい」）、ステップＳ１４０６に進む。未だ、商品が登録されていない場合には（「いいえ」）、ステップＳ１４０７に進む。
【０１２１】
［ステップＳ１４０６］この処理は、ステップＳ１４０４から、又は図２１の（Ｂ）からこのステップに処理が移る。既に登録されている商品数量の読み出しが行われる。以下の処理は、この商品の数量を訂正する処理となる。
【０１２２】
［ステップＳ１４０７］注文された商品が未だ登録されていないため、商品の数量としてデフォルト値（例えば１）を設定する。なお、デフォルト値は、ゼロでもよい。或いは、商品の種類に応じて、最も購入される数量の頻度が高い数量をデフォルト値にそれぞれ設定するようにしてもよい。
［ステップＳ１４０８］受け取られた商品の情報に基づいて、商品の画像、商品の個数、小計金額等を表示画面に表示する。
【０１２３】
［ステップＳ１４１０］商品画像表示領域１に対応するタッチパネルに対し、タッチ操作が検出されたか否かがチェックされる。タッチ操作が検出されない場合には（「いいえ」）、ステップＳ１４１０に戻り処理を繰り返す。タッチ操作が検出された場合には、ステップＳ１４１２に移る。
【０１２４】
［ステップＳ１４１２］確定の指示があったか否かが判断される。例えば、確定キー４４５が押された場合には、商品の数量の入力が完了したことを示している。このため、商品の数量を入力又は訂正することに関するこの処理は終了する。確定の指示がない場合には、処理は、ステップＳ１４１４に進む。
【０１２５】
［ステップＳ１４１４］識別部２３０は、タッチ操作の態様を識別する。タッチの操作の態様は、上述のように、各実施形態において述べたとおりである。その要約は、図９の表に示されている。処理は、ステップＳ１４１６に進む。
【０１２６】
［ステップＳ１４１６］態様に応じた商品数量の加減算、置換等が行われる。加減算、置換等の態様は、上述のように、各実施形態において述べたとおりである。その要約は、図９の表に示されている。処理は、ステップＳ１４１８に進む。
【０１２７】
［ステップＳ１４１８］加減算処理を実行し、商品数量の更新が行われる。更新された商品数量は、登録部２５０に登録される。また、更新した数量及び更新された商品の小計の表示などの処理が表示部２６０に指示される。
【０１２８】
＜ハードウエア構成＞
図２３は、実施形態のハードウエア構成を示した図である。ハードウエア構成は、ＣＰＵ１５０１、本実施形態のプログラム及びデータが格納されるＲＯＭ１５０２、ＲＡＭ１５０３、ネットワークインターフェース１５０５、入力インタフェース１５０６、表示インタフェース１５０７、外部メモリインタフェース１５０８を有する。これらのハードウエアは、バス１５０４によって相互に接続されている。
【０１２９】
ネットワークインターフェース１５０５は、ネットワーク１５１５に接続されている。ネットワーク１５１５には、有線ＬＡＮ、無線ＬＡＮ、インターネット、電話網などがある。入力インタフェース１５０６には、入力部１５１６が接続されている。入力部１５１６は、キー、商品販売データ処理装置の店員用表示部１１４のタッチパネルなどが挙げられる。表示インタフェース１５０７には、表示部１５１７が接続される。表示部１５１７としては、商品販売データ処理装置の店員用表示部１１４、商品販売データ処理装置の顧客用表示部１１２、ＰＯＳ端末の画面、携帯端末の画面などが挙げあれる。外部メモリインタフェース１５０８には、記憶媒体１５１８が接続される。記憶媒体１５１８は、ＲＡＭ、ＲＯＭ、ＣＤ−ＲＯＭ、ＤＶＤ−ＲＯＭ、ハードディスク、メモリーカード等であってもよい。記憶媒体には、本実施形態を実現するプログラムが格納され得る。
【０１３０】
上述の実施形態を実現するプログラムは、図２に示されるハードウエア構成を備えるコンピュータにより実行され得る。また，実施形態のプログラムは，コンピュータに実行させる方法として，インプリメントされてもよい。本実施形態のプログラムの一部又は全部は、オペレーティングシステムにより実行されてもよい。また、プログラムの一部がハードウエアにより実現されてもよい。プログラムは記憶媒体１５１８、ＲＯＭ１５０２、又はＲＡＭ１５０３に記憶されてもよい。
実施形態は，ハードウエアの装置としてインプリメントされ得る。
以上の実施例は，請求項に記載された発明を限定するものではなく，例示として取り扱われることは言うまでもない。
【符号の説明】
【０１３１】
２１０  商品情報受取部
２２０  タッチ操作検出部
２３０  識別部
２４０  更新部
２５０  登録部
２６０  表示部
【図１】
2019109614.tif 000003
【図２】
2019109614.tif 000004
【図３】
2019109614.tif 000005
【図４】
2019109614.tif 000006
【図５】
2019109614.tif 000007
【図６】
2019109614.tif 000008
【図７】
2019109614.tif 000009
【図８】
2019109614.tif 000010
【図９】
2019109614.tif 000011
【図１０】
2019109614.tif 000012
【図１１】
2019109614.tif 000013
【図１２】
2019109614.tif 000014
【図１３】
2019109614.tif 000015
【図１４】
2019109614.tif 000016
【図１５】
2019109614.tif 000017
【図１６】
2019109614.tif 000018
【図１７】
2019109614.tif 000019
【図１８】
2019109614.tif 000020
【図１９】
2019109614.tif 000021
【図２０】
2019109614.tif 000022
【図２１】
2019109614.tif 000023
【図２２】
2019109614.tif 000024
【図２３】
2019109614.tif 000025